(57)【要約】【課題】  簡単な作業により、球技用グローブを所望の形状に矯正することができる球技用グローブの形状矯正方法を提案すること。【解決手段】  形状矯正セット１を用いた野手用グローブ２００の形状矯正作業では、３本の形状矯正具２１〜２３を、人差し指、中指および薬指の指袋部分２０２〜２０４に差し込む。次に、野手用グローブ２００の外側から形状矯正具２１〜２３に対して力を加えて、各形状矯正具２１〜２３を塑性変形させ、人差し指、中指および薬指の指袋部分２０２〜２０４、およびこれらに連続している捕手面２１０を、希望する形状となるように矯正していく。この状態で、野手用グローブ２００を所定期間、放置すれば、野手用グローブ２００がその形状に矯正される。形状矯正作業が終わった後は、野手用グローブ２００から各形状矯正具２１〜２３を引き抜く。【選択図】  図１
2006087782.tif 000002
【特許請求の範囲】
【請求項１】
球技用グローブの各指袋部分のうち、少なくとも一つの指袋部分に、細長い塑性変形可能な形状矯正具を差し込み、
前記形状矯正具が差し込まれた前記指袋部分に外側から力を加えて、当該形状矯正具を塑性変形させることにより、当該指袋部分および、この根元に連続している捕球面部分を目標とする形状に矯正し、
この矯正状態を所定時間保持し、
しかる後に、前記形状矯正具を前記指袋部分から引き抜くことを特徴とする球技用グローブの形状矯正方法。
【請求項２】
請求項１において、
前記指袋部分に、複数本の前記形状矯正具を差し込むことを特徴とする球技用グローブの形状矯正方法。
【請求項３】
請求項１または２において、
前記球技用グローブにおける少なくとも人差し指、中指および薬指を差し込むための指袋部分に、それぞれ、前記形状矯正具を差し込み、
これらの指袋部分および、これらの根元が連続している捕球面部分を目標とする形状に矯正することを特徴とする球技用グローブの形状矯正方法。
【請求項４】
請求項３において、
各形状矯正具の後端部分を、紐などによって相互に連結しておき、
各形状矯正具を、形状が矯正された後の前記球技用グローブの各指袋部分から同時に引き抜くことを特徴とする球技用グローブの形状矯正方法。
【請求項５】
請求項１ないし４のうちのいずれかの項において、
前記形状矯正具として、板状のもの、および／または、棒状のものを用いることを特徴とする球技用グローブの形状矯正方法。
【請求項６】
請求項１ないし５のうちのいずれかの項において、
前記形状矯正具として、少なくとも前記指袋部分に差し込まれる先端側の部分が軟質素材からなるフィルムあるいはシート、または被覆層によって覆われたものを用いることを特徴とする球技用グローブの形状矯正方法。
【請求項７】
請求項１ないし６のうちのいずれかの項に記載の球技用グローブの形状矯正方法に用いる球技用グローブの形状矯正具であって、
対象となる球技用グローブの各指袋部分に差し込み可能な細長い板状あるいは棒状をしており、
所定の力で塑性変形可能な素材から形成されていることを特徴とする球技用グローブの形状矯正具。
【請求項８】
請求項７において、
対象となる球技用グローブの各指袋部分に差し込まれた状態において、その後端部分が当該球技用グローブから突出可能な長さを有していることを特徴とする球技用グローブの形状矯正具。
【請求項９】
請求項８において、
少なくとも、対象となる球技用グローブの各指袋部分に差し込まれる先端側の部分が、軟質素材からなるフィルムあるいはシート、または被覆層によって覆われていることを特徴とする球技用グローブの形状矯正具。
【請求項１０】
少なくとも、対象となる球技用グローブの人差し指、中指および薬指を差し込むための各指袋部分に、それぞれ差し込むための３本の形状矯正具を有し、
これらの形状矯正具は、請求項７、８または９に記載の形状矯正具であることを特徴とする球技用グローブの形状矯正セット。
【請求項１１】
請求項１０において、
各形状矯正具の後端部分に連結されている連結部材を有していることを特徴とする球技用グローブの形状矯正セット。
【請求項１２】
請求項１１において、
各形状矯正具は、前記球技用グローブから突出する後端部分に貫通孔が形成されており、
前記連結部材は、各形状矯正具の前記貫通孔に通した紐あるいはボルトであることを特徴とする球技用グローブの形状矯正セット。
【請求項１３】
請求項１２において、
前記貫通孔は、前記形状矯正具の長さ方向に沿って延びる長孔であることを特徴とする球技用グローブの形状矯正セット。
【発明の詳細な説明】
【技術分野】
【０００１】
本発明は、球技用グローブを所望の形状に矯正あるいは成形するための球技用グローブの形状矯正方法に関するものである。また、本発明は、かかる形状矯正方法に用いる球技用グローブの形状矯正具および形状矯正セットに関するものである。
【背景技術】
【０００２】
新品の野球用グローブなどにおいては、捕球面を、ボールを捕らえ易い理想的な形状に成形するための形状矯正作業あるいは成形作業が行われる。かかる形状矯正作業では、一般に市販されている成形バンドなるものが用いられている。すなわち、図７に示すように、成形バンド１００を、捕球面２１０にボールＢを挟んだ状態の野手用グローブ２００に巻きつけることにより、ボールＢを挟んだ状態に捕球面２１０を保持し、この状態のまま放置することにより、捕球面２１０をボールＢを捕らえ易い形状に成形している。
【発明の開示】
【発明が解決しようとする課題】
【０００３】
しかしながら、この成形方法では、捕球面２１０を任意の形状に成形することが困難である。特に、各指を入れる指袋部分２０１、２０２、２０３、２０４、２０５を、個別に任意の形状に矯正あるいは成形することができない。このために、成形バンドを用いた方法では、使用者の希望に合った形状となるように、野球用グローブなどの球技用グローブの形状を矯正することができない。
【０００４】
また、使い込んで皮が柔らかくなって形崩れした球技用グローブの形状を希望する形状となるように矯正する場合には、成形バンド１００でボールを挟んだ状態のグローブ２００を締め付け、この状態のグローブ２００にスプレーなどで皮硬化剤を塗布している。この場合には、成形バンド１００で覆い隠されているグローブ２００の表面部分に皮硬化剤を塗布する作業が面倒であるという問題点もある。
【０００５】
本発明の課題は、新品および形崩れした球技用グローブを簡単な作業により任意の形状に矯正することのできる球技用グローブの形状矯正方法、当該矯正方法に用いる形状矯正具、および当該形状矯正具を備えた形状矯正セットを提案することにある。
【課題を解決するための手段】
【０００６】
上記の課題を解決するために、本発明の球技用グローブの形状矯正方法は、球技用グローブの各指袋部分のうち、少なくとも一つの指袋部分に、細長い塑性変形可能な形状矯正具を差し込み、前記形状矯正具が差し込まれた前記指袋部分に外側から力を加えて、当該形状矯正具を塑性変形させることにより、当該指袋部分および、この根元に連続している捕球面部分を目標とする形状に矯正し、この矯正状態を所定時間保持し、しかる後に、前記形状矯正具を前記指袋部分から引き抜くことを特徴としている。
【０００７】
本発明の方法では、可塑変形可能な形状矯正具の形状保持力によって、当該形状矯正具が差し込まれて所定の形状に成形された球技用グローブの部分を当該形状の状態のままで所定時間保持できる。したがって、球技用グローブに差し込まれた形状矯正具をグローブ外側から任意の形状に成形することにより、希望する形状となるように新品の球技用グローブの形状を矯正することができる。また、型崩れした球技用グローブの場合も同様にして希望する形状となるように矯正した後に、グローブ表面に皮硬化剤を塗布して、所定時間その状態に保持すればよい。よって、成形バンドを用いる場合とは異なり、任意の形状に球技用グローブの形状を矯正できる。また、ボールを挟むことなく、球技用グローブの形状を矯正できる。なお、形状矯正具が差し込まれた球技用グローブにボールを挟み、外側から力を加えて、球技用グローブの形状を矯正するようにしてもよいことは勿論である。
【０００８】
ここで、１本の形状矯正具では十分な形状保持力が得られない場合には、一つの指袋部分に、複数本の形状矯正具、例えば２本の形状矯正具を差し込むようにすればよい。
【０００９】
また、球技用グローブ、例えば、野球用グローブでは、一般に、人差し指、中指および薬指を差し込む指袋部分の形状が矯正される。したがって、前記球技用グローブにおける少なくとも人差し指、中指および薬指を差し込むための指袋部分に、それぞれ、形状矯正具を差し込み、これらの指袋部分および、これらの根元が連続している捕球面部分を目標とする形状に矯正するようにすればよい。
【００１０】
複数本の形状矯正具を用いる場合には、各形状矯正具の後端部分を、紐などによって相互に連結しておき、各形状矯正具を、形状が矯正された後の球技用グローブの各指袋部分から同時に引き抜くようにすれば、引き抜き作業が簡単になる。また、形状矯正具の一つが紛失してしまうなどの弊害も回避できる。
【００１１】
次に、形状矯正具の形状としては、一般に、板状のもの、および／または、棒状のものを用いればよい。
【００１２】
また、球技用グローブの指袋部分への差し込み作業、引き抜き作業において、形状矯正具の先や角などによって、球技用グローブの皮や使用者の指を傷つけないようにするためには、形状矯正具における、少なくとも指袋部分に差し込まれる先端側の部分を軟質素材からなるフィルムあるいはシート、または被覆層によって覆っておくことが望ましい。また、表面摩擦係数の小さなものによって覆っておけば、指袋部分への差し込み作業および、そこからの引き抜き作業が容易になる。
【００１３】
次に、本発明は、上記の球技用グローブの形状矯正方法に用いる球技用グローブの形状矯正具であって、対象となる球技用グローブの各指袋部分に差し込み可能な細長い板状あるいは棒状をしており、所定の力で塑性変形可能な素材から形成されていることを特徴としている。
【００１４】
ここで、球技用グローブへの差し込み作業およびそこからの引き抜き作業の作業性の観点からは、対象となる球技用グローブの各指袋部分に差し込まれた状態において、その後端部分が当該球技用グローブから突出可能な長さを有していることが望ましい。
【００１５】
また、少なくとも、対象となる球技用グローブの各指袋部分に差し込まれる先端側の部分が、軟質素材からなるフィルムあるいはシート、または被覆層によって覆われていることが望ましい。
【００１６】
一方、本発明は球技用グローブの形状矯正セットに関するものであり、本発明による形状矯正セットは、少なくとも、対象となる球技用グローブの人差し指、中指および薬指を差し込むための各指袋部分に、それぞれ差し込むための３本の形状矯正具を有し、これらの形状矯正具として、上述の構成を有する形状矯正具を用いることを特徴としている。
【００１７】
ここで、各形状矯正具の後端部分に連結されている連結部材を有していることが望ましい。この場合、各形状矯正具における、前記球技用グローブから突出する後端部分に貫通孔を形成しておき、前記連結部材として、各形状矯正具の前記貫通孔に通した紐あるいはボルトを用いることができる。また、前記貫通孔を、前記形状矯正具の長さ方向に沿って延びる長孔とすることができる。
【発明の効果】
【００１８】
本発明では、球技用グローブの各指袋部分に、塑性変形可能な形状矯正具を差し込み、この状態で外側から球技用グローブを任意の形状となるように成形し、成形後の状態を所定時間に亘って保持し、しかる後に形状矯正具を引き抜くようにしている。したがって、成形バンドで球技用グローブを締め付ける場合とは異なり、各指袋部分および、それらに連続している捕球面部分を任意の形状に矯正することが簡単にできるという作用効果を奏する。また、ボールを挟むことなく、球技用グローブの形状を矯正することができるという効果も奏する。
【００１９】
さらに、型崩れした球技用グローブの形状を矯正する場合においては、成形バンドを用いる場合とは異なり、球技用グローブの表面に覆い隠されている部分が無いので、皮硬化剤の塗布が容易になるという効果も奏する。
【発明を実施するための最良の形態】
【００２０】
以下に、図面を参照して、本発明を適用した球技用グローブの形状矯正方法および、当該方法に用いるのに適した形状矯正具、形状矯正セットの実施例を説明する。
【００２１】
図１(ａ)および(ｂ)は、本例の形状矯正セットを用いて球技用グローブの形状矯正を行っている状態を示す説明図である。対象となる球技用グローブは例えば野手用グローブ２００であり、当該グローブ２００は、手を入れるために開口している開口部２０８と、各指を差し込むための５つの指袋部分２０１、２０２、２０３、２０４、２０５と、手のひらの部分に対応する捕球面２１０とを有している。親指の指袋部分２０１と人差し指の指袋部分２０２の間は網状のウェブ２０９で繋がれている。
【００２２】
本例の球技用グローブの形状矯正セット１は、野手用グローブ２００の５つの指袋部分２０１〜２０５のうち、人差し指、中指および薬指の指袋部分２０２、２０３、２０４に差し込み可能な３本の形状矯正具２１、２２、２３を備えている。これら形状矯正具２１〜２３は、スチール製であり、塑性変形可能である。
【００２３】
後述のように、３本の形状矯正具２１〜２３をそれぞれ、各指袋部分２０２〜２０４に差し込んだ状態で、野手用グローブ２００の外側から当該位置矯正具２１〜２３に対して力を加えて、当該位置矯正具２１〜２３を塑性変形させることにより、野手用グローブ２００を所望の形状に保持することが可能である。
【００２４】
図２(ａ)および(ｂ)は、図１の形状矯正具２１を示す正面図および側面図である。なお、形状矯正具２１〜２３はいずれも基本的に同一構成であるので、形状矯正具２２、２３における対応部分には同一符号を付し、それらの説明は省略する。形状矯正具２１は、スチール製の細長い板材からなり、その両端部は、Ｒ加工が施され、角が丸められている。形状矯正具２１の長さ方向の寸法Ｌ１は、図１から分かるように、当該形状矯正具２１を対象となる野手用グローブ２００の指袋部分２０２に差し込んだ状態において、その後端部分が開口部２０８から外側に突出可能な寸法に設定されている。例えば、寸法Ｌ１は３５０mmに設定される。また、幅方向の寸法Ｌ２は例えば１０mmに設定される。厚さ寸法ｔは、野手用グローブ２００を所望の形状に長期間、保持することができ、かつ、繰り返しの曲げ応力に耐えられる寸法に設定されている。例えば、１mmに設定されている。
【００２５】
次に、形状矯正具２１における野手用グローブ２００に差し込まれる部分は、図２においてハッチングで示すように、ビニール製の被覆テープ４で表面が被覆されている。このため、形状矯正具２１を野手用グローブ２００に抜き差しする際に、野手用グローブ２００を傷付けることがない。また、抜き差しの作業において使用者の指が傷つくこともない。ここで、形状矯正具２１を野手用グローブ２００に抜き差しする際の滑りを良くするために、形状矯正具２１の表面をフッ素樹脂などでコーティング処理してもよい。被覆テープ４は、例えば、形状矯正具２１の先端から後端に向けて約２５０mmの範囲に設けられる。
【００２６】
本例の形状矯正セット１を用いた野手用グローブ２００の形状矯正作業は次のように行われる。まず、図１に示すように、３本の形状矯正具２１〜２３をそれぞれ、人差し指、中指および薬指の指袋部分２０２〜２０４に差し込む。差し込み時には、３本の形状矯正具２１〜２３を反りのない真っ直ぐな状態にしておくと共に、野手用グローブ２００を広げて各指袋部分２０１〜２０５を真っ直ぐの状態にしておくと、形状成形具２１〜２３を簡単に差し込むことができる。
【００２７】
次に、野手用グローブ２００の外側から形状矯正具２１〜２３に対して力を加えて、各形状矯正具２１〜２３を塑性変形させ、人差し指、中指および薬指の指袋部分２０２〜２０４、およびこれらに連続している捕手面２１０を、希望する形状となるように矯正していく。
【００２８】
ここで、野手用グローブ２００が新品の場合には、各形状矯正具２１〜２３によって所望の形状に成形された野手用グローブ２００を、所定期間、放置すれば、野手用グローブ２００はその形状に成形される。これに対して、使い込んで皮が柔らかくなって形崩れした野手用グローブの場合には、形状矯正具２１〜２３によって所定形状に矯正された状態において、野手用グローブ２００の表面に、皮硬化剤をスプレーなどで塗布すればよい。形状矯正作業が終わった後は、野手用グローブ２００から各形状矯正具２１〜２３を引き抜く。
【００２９】
以上説明したように、野手用グローブ２００の人差し指、中指および薬指の指袋部分２０２〜２０３に形状矯正具２１〜２３をそれぞれ差し込み、これらを野手用グローブ２００の外側から力を加えて順次に塑性変形させていくことにより、野手用グローブ２００を所望の形状に保持できる。それ故、野手用グローブ２００の捕球面２１０にボールを挟まなくても、当該野球用グローブ２００を、ボールを捕らえ易い理想的な形状に矯正することができる。また、従来の成形バンドを用いる場合とは異なり、各指袋部分２０２〜２０４に差し込まれている部分の成形部材２１〜２３を個別に変形させることにより、指袋部分２０２〜２０４を任意の形状に矯正することができる。さらに、野手用グローブ２００の表面に皮硬化剤を満遍なく塗布することができる。
【００３０】
ここで、野手用グローブ２００において、親指および小指の指袋部分２０１、２０５は、真っ直ぐであれば良いので、基本的には形状矯正作業を行う必要がないが、本例の形状矯正セット１を用いて親指および小指の指袋部分２０１、２０５の形状矯正作業を行うことも可能である。この場合、親指および小指の指袋部分２０１、２０５の縁部分２１１、２５１は皮が厚くて硬いので、１本の形状矯正具では強度が不足する場合には、当該指袋部分２０１、２０５に形状矯正具を２枚以上重ねた状態で差し込めばよい。
【００３１】
なお、形状矯正具２１〜２３は、図３に示すような棒材を用いることも可能である。この図に示す形状矯正具２１Ａ〜２３Ａは、例えば、市販の針金を加工したものであり、その直径は約４mmとされ、野手用グローブ２００を所望の形状に長期間、保持することができ、かつ、繰り返し曲げ応力に耐えられるようになっている。また、両端部は、面取りが施され、角が丸められている。また、形状矯正具２１Ａ〜２３Ａにおける球技用グローブ２００に差し込まれる部分の表面を、図３においてハッチングで示すように、ビニール製の被覆テープ４Ａで被覆することが望ましい。
【００３２】
（形状矯正セットの別の例）
図４は形状矯正セットの別の例を示す斜視図である。この図に示す形状矯正セット１Ｂは、野手用グローブの人差し指、中指および薬指の指袋部分に差し込み可能な３本の板状の形状矯正具２１Ｂ、２２Ｂ、２３Ｂと、これらを連結している連結部材としてのリベット５とを有している。各形状矯正具における野手用グローブに差し込まれる部分は、ハッチングで示すように、ビニール製の被覆テープ４Ｂで表面が被覆されている。
【００３３】
形状矯正具２１Ｂ〜２３Ｂの後端部分には円形の貫通孔２１ａ、２２ａ、２３ａがそれぞれ形成されており、ここにリベット５が差し通され、形状矯正具２１Ｂ〜２３Ｂは３重に重ねられた状態で相互に連結されている。リベット５は、形状矯正具２１Ｂ〜２３Ｂが旋回できるように若干の緩みをもった状態でこれらを相互に連結している。
【００３４】
本例の形状矯正セット１Ｂでは、形状矯正具２１Ｂ〜２３Ｂがリベット５によって相互に連結されているので、これらが離れる場合に比べて、その収納、保管時に紛失などの危険性が少ない。また、野手用グローブ２００から形状矯正具２１Ｂ〜２３Ｂを引き抜く作業を１回で終わらせることができるという利点がある。
【００３５】
なお、連結部材としてのリベット５の代わりに、ボルトとナット、紐などを用いることができる。ボルトとナットを用いた場合には、当該ボルトとナットを緩めて外すと、形状矯正部材２１Ｂ〜２３Ｂをそれぞれ取り外すことが可能になる。従って、例えば、図５(ａ)に示すように、形状矯正具２１Ｃ〜２３Ｃの後端部分に、当該形状矯正具の長さ方向に所定の間隔で複数の貫通孔２１ｂ、２２ｂ、２３ｂを形成し、これら貫通孔２１ｂ〜２３ｂに選択的にボルトを差し通してナットにねじ込むことにより、形状矯正具２１Ｃ〜２３Ｃにおけるグローブに差し込まれる部分の長さを調整することができる。一方、連結部材として紐を用いた場合には、形状矯正具２１Ｂ(２１Ｃ)〜２３Ｂ(２３Ｃ)を連結している部分から端部を引き出しておき、この端部を引っ張ることにより、野手用グローブから形状矯正具を引き抜くようにしてもよい。
【００３６】
また、図５(ｂ)に示すように、形状矯正具２１Ｄ〜２３Ｄの後端部分の貫通孔２１ｃ〜２３ｃを、当該成形部材の長さ方向に長い長円形に形成すれば、ボルトとネジなどの連結部材を取り外すことなく、形状矯正具２１Ｄ〜２３Ｄにおけるグローブに差し込まれる部分の長さを調整することが可能である。
【００３７】
さらに、野手用グローブの人差し指、中指、薬指の指袋部分以外の指袋部分の形状も矯正するために、形状矯正具を４本以上備えた形状矯正セットを用いることも可能である。図６には、野手用グローブの５つの全ての指袋部分の形状を矯正可能な球技用グローブの形状矯正セットを示してある。球技用グローブの形状矯正セット１Ｅは、５本の形状矯正具２１Ｅ、２２Ｅ、２３Ｅ、２４Ｅ、２５Ｅが野手用グローブ２００の形(手の形)に近い形に連結されることにより構成されている。すなわち、形状矯正具２５Ｅは、親指の指袋部分２０１に差し込まれる。形状矯正具２４Ｅは小指の指袋部分２０５に差し込まれる。残りの形状矯正具２１Ｅ〜２３Ｅは、それぞれ、人差し指の指袋部分２０２、中指の指袋部分２０３、および薬指の指袋部分２０４に差し込まれる。
【００３８】
形状矯正具２１Ｅ〜２５Ｅは、図５(ｂ)に示す形状矯正具２１Ｄ〜２３Ｄと同一構成であり、後端部分に長円形の貫通孔２１ｄ、２２ｄ、２３ｄ、２４ｄ、２５ｄが形成されている。形状矯正具２５Ｅの貫通孔２５ｄには、他の貫通孔に比べて長く孔が形成されている。形状矯正具２１Ｅ〜２４Ｅは、それらの貫通孔が形状矯正具２５の貫通孔２５ｄに重ねられ、それぞれ、リベット５によって連結されている。リベット５は、形状矯正具２１Ｅ〜２５Ｅが相対移動できるように、また旋回できるように若干の緩みをもった状態でこれらを連結している。形状矯正具２１Ｅ〜２５Ｅを野手用グローブ２００に差し込む場合には、図６(ｂ)に示すように、形状矯正具２１Ｅ〜２５Ｅをそれぞれ移動、または旋回させることにより、その野手用グローブ２００の指袋部分２０１〜２０５に差し込み可能な状態を形成して、各指袋部分に差し込めばよい。
【産業上の利用可能性】
【００３９】
本発明は、野球以外の球技用グローブの形状を矯正するために用いることができる。
【図面の簡単な説明】
【００４０】
【図１】(ａ)および(ｂ)は、本発明を適用した形状矯正具を野手用グローブに差し込んだ状態を示す前側斜視図および後側斜視図である。
【図２】(ａ)および(ｂ)はそれぞれ、図１の形状矯正具を示す正面図および側面図である。
【図３】本発明の形状矯正具の別の例を示す示す斜視図である。
【図４】本発明の形状矯正セットの別の例を示す斜視図である。
【図５】(ａ)および(ｂ)は、本発明の形状矯正具の二例を示す斜視図である。
【図６】(ａ)は本発明の形状矯正セットの別の例を示す説明図であり、(ｂ)はそれを野手用グローブに差し込んだ状態を示す説明図である。
【図７】従来の成形バンドにより球技用グローブを成形する場合の説明図である。
【符号の説明】
【００４１】
１、１Ｂ、１Ｅ形状矯正セット
２１〜２３、２１Ｂ〜２３Ｂ、２１Ｃ〜２３Ｃ、２１Ｄ〜２３Ｄ、２１Ｅ〜２５Ｅ
形状矯正具
４  被覆テープ(被覆部材)
２１ａ〜２３ａ、２１ｂ〜２３ｂ、２１ｃ〜２３ｃ、２１ｄ〜２５ｄ  貫通孔
５  リベット(連結部材)
２００  野手用グローブ
２０１〜２０５  指袋部分
２１０  捕球面
【図１】
2006087782.tif 000003
【図２】
2006087782.tif 000004
【図３】
2006087782.tif 000005
【図４】
2006087782.tif 000006
【図５】
2006087782.tif 000007
【図６】
2006087782.tif 000008
【図７】
2006087782.tif 000009